(57)【要約】【課題】導光板の位置ズレを抑制して、外観上の印象及び配光特性を維持することができる照明装置を提供する。【解決手段】照明装置１は、装置本体２と、装置本体２に一端部が支持された状態で、装置本体２の外方に向けて延設する導光板（第一導光板３及び第二導光板４）と、導光板における装置本体２に支持された部位とは異なる箇所で、導光板の姿勢を保持する保持部（支持部材８）とを備えている。【選択図】図４
2019016549.tif 000002
【特許請求の範囲】
【請求項１】
装置本体と、
前記装置本体に一端部が支持された状態で、前記装置本体の外方に向けて延設する導光板と、
前記導光板における前記装置本体に支持された部位とは異なる箇所で、前記導光板の姿勢を保持する保持部とを備える
照明装置。
【請求項２】
前記保持部は、前記導光板の下方から当該導光板を支持する板材である
請求項１に記載の照明装置。
【請求項３】
前記導光板は、前記一端部側となる湾曲部と、前記湾曲部から平板状に延設する平板部とを備え、
前記保持部は、前記平板部の下方から当該平板部を支持している
請求項２に記載の照明装置。
【請求項４】
前記装置本体は、長尺状であり、
前記導光板は、前記装置本体の長尺な縁辺から外方に向けて延設しており、
前記保持部は、前記装置本体の長手方向に沿って前記導光板を支持している
請求項２または３に記載の照明装置。
【請求項５】
前記保持部は、前記装置本体とともに前記導光板を挟持している
請求項２〜４のいずれか一項に記載の照明装置。
【発明の詳細な説明】
【技術分野】
【０００１】
本発明は、導光板を有する照明装置に関する。
【背景技術】
【０００２】
従来、例えば、天井に配置される照明装置であるシーリングライトが知られている。例えば、特許文献１に記載の従来のシーリングライトは、装置本体である長尺状の筐体と、一対の導光板とが備えられている。一対の導光板は、筐体を挟むように当該筐体に保持されている。具体的には、導光板の一端部が筐体に支持されて、他端部が筐体から張り出した構造となっている。そして、導光板は、筐体内のＬＥＤモジュールから発せられた光を導光して、出射面から出射することで、天井下の領域を照明するようになっている。
【先行技術文献】
【特許文献】
【０００３】
【特許文献１】特開２０１７−１０７８２１号公報
【発明の概要】
【発明が解決しようとする課題】
【０００４】
ところで、導光板の一端部が筐体に支持されて、他端部が筐体から張り出す構造であると、導光板が自重で撓んでしまって、当該導光板の他端部が一端部よりも位置が下がった状態となる。このように、導光板が所定の位置からズレてしまうと、外観上の印象がそがれるだけでなく、所望の配光特性も得られないおそれがある。
【０００５】
このため、本発明は、導光板の位置ズレを抑制して、外観上の印象及び配光特性を維持することができる照明装置を提供することを目的とする。
【課題を解決するための手段】
【０００６】
上記目的を達成するために、本発明に係る照明装置の一態様は、装置本体と、装置本体に一端部が支持された状態で、装置本体の外方に向けて延設する導光板と、導光板における装置本体に支持された部位とは異なる箇所で、導光板の姿勢を保持する保持部とを備える。
【発明の効果】
【０００７】
本発明によれば、導光板の位置ズレを抑制することができ、照明装置の外観上の印象及び配光特性を維持することができる。
【図面の簡単な説明】
【０００８】
【図１】図１は、実施の形態に係る照明装置を示す斜視図である。
【図２】図２は、実施の形態に係る照明装置を示す分解斜視図である。
【図３】図３は、図１のＩＩＩ−ＩＩＩ線を含む切断面を見た、照明装置の部分断面図である。
【図４】図４は、実施の形態に係る第一導光板及びその周辺の部材を拡大して示す部分断面図である。
【図５】図５は、実施の形態に係る支持部材と第一導光板との概略構成を示す分解斜視図である。
【図６】図６は、変形例に係る保持部の概略構成を示す平面図である。
【発明を実施するための形態】
【０００９】
以下、実施の形態について、図面を参照しながら説明する。なお、以下に説明する実施の形態は、本発明の一具体例を示すものである。したがって、以下の実施の形態示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付しており、重複する説明は省略または簡略化される場合がある。
【００１１】
［構成］
図１は、実施の形態に係る照明装置１を示す斜視図である。図２は、実施の形態に係る照明装置１を示す分解斜視図である。図３は、図１のＩＩＩ−ＩＩＩ線を含む切断面を見た、照明装置１の部分断面図である。
【００１２】
ここでは、照明装置１の装置本体２の短手方向をＸ軸方向と規定し、装置本体２の長手方向をＹ軸方向と規定し、Ｘ軸方向とＹ軸方向とに直交する方向をＺ軸方向と規定する。また、装置本体２に対する第一導光板３側をＸ軸プラス方向と規定し、本体モジュール２０の第一開口部２０ａに対する第二開口部１２０ｂ側をＹ軸プラス方向と規定し、照明装置１を取付ける天井側をＺ軸プラス方向と規定する。本実施の形態では、説明の便宜上、Ｚ軸方向を上下方向として説明するが、照明装置１の使用形態によってはＺ軸方向が上下方向とならない場合もある。
【００１３】
図１及び図２に示すように、照明装置１は、エッジライト方式の導光板を用いており、天井および壁などの造営材に固定されている。具体的には、照明装置１は、天井に配設されている引っ掛けシーリング１１等の外部の電源と電気的に接続された状態で固定されている。
【００１４】
照明装置１は、装置本体２と、第一導光板３と、第二導光板４と、第一遮光部材５と、第二遮光部材６と、透光カバー７とを備えている。
【００１５】
装置本体２は、Ｙ軸方向に長尺な箱状体である。装置本体２は、外装カバー１２と、本体モジュール２０と、一対のレンズカバー２３と、制御部１３と、受信部１４と、電源部１５とを有する。外装カバー１２は、Ｙ軸方向に長尺な矩形状の箱体であり、Ｚ軸プラス方向及びＺ軸マイナス方向で開放されている。また、外装カバー１２は、本体モジュール２０、第一遮光部材５、第二遮光部材６、制御部１３、受信部１４、電源部１５等を収容している。外装カバー１２は、照明装置１の外側のカバーである。
【００１６】
本体モジュール２０は、Ｙ軸方向に長尺な矩形状であり、中央部分に円形状の第一開口部２０ａを有する。第一開口部２０ａは、取付用の開口部であり、本体モジュール２０は、この第一開口部２０ａを介して引っ掛けシーリング１１と電気的に接続される。本体モジュール２０は、一対の発光モジュール２１と、収容体２５と、一対の支持部材８とを有する。
【００１７】
［発光モジュール］
図２に示すように、一対の発光モジュール２１は、例えばネジ等の締結部材１９により収容体２５に固定されている。具体的には、一対の発光モジュール２１は、第一開口部２０ａを挟むように、第一開口部２０ａに対してＹ軸プラス方向側及びＹ軸マイナス方向側にそれぞれ配置されている。なお、本実施の形態では、２つの発光モジュール２１を用いているが、１つの発光モジュール２１であってもよい。
【００１８】
図２及び図３に示すように、発光モジュール２１は、基板１２０と、複数の第一光源１２１と、複数の第二光源１２２と、複数の配線部材１２０ａとを有する。
【００１９】
基板１２０は、Ｙ軸方向に長尺な矩形板状である。基板１２０には、複数の第一光源１２１及び複数の第二光源１２２が実装されている。基板１２０は、Ｘ−Ｙ平面と略平行となるように、本体モジュール２０の収容体２５に設置されている。基板１２０には、複数の第一光源１２１及び複数の第二光源１２２に給電する配線部材１２０ａが固定されている。基板１２０は、配線部材１２０ａに接続された不図示のケーブルを介して電源部１５と電気的に接続されている。本実施の形態では、配線部材１２０ａは、第一光源１２１と第二光源１２２との間に配置されている。
【００２０】
Ｙ軸プラス方向側の基板１２０には、第二開口部１２０ｂが形成されている。第二開口部１２０ｂは、発光モジュール２１のＹ軸プラス方向の端部側に形成されている。発光モジュール２１を平面視した場合に、受信部１４は、第二開口部１２０ｂと重なるように、形成されている。これにより、受信部１４は、リモコンから送信される制御信号を受信し易くなる。第二開口部１２０ｂは、開口部の一例である。
【００２１】
基板１２０は、第一光源１２１及び第二光源１２２が発した熱を放熱するように、図示しない放熱部に熱的に接続されていてもよい。放熱部は、外装カバー１２にも熱的に接続されていてもよく、外装カバー１２をヒートシンクとして機能させてもよい。
【００２２】
複数の第一光源１２１は、Ｙ軸方向に長尺なマトリクス状となるように、基板１２０に配列されている。複数の第二光源１２２の一部は、複数の第一光源１２１に対してＸ軸プラス方向側でＹ軸方向に沿って配列されている。一方、その他の複数の第二光源１２２は、複数の第一光源１２１に対してＸ軸マイナス方向側でＹ軸方向に沿って配列されている。言い換えれば、複数の第一光源１２１に対し、Ｘ軸プラス方向側で配列されている複数の第二光源１２２と、Ｘ軸マイナス方向側で配列されている複数の第二光源１２２とは、複数の第一光源１２１を挟むように基板１２０に配列されている。
【００２３】
第一光源１２１及び第二光源１２２は、光の出射方向がＺ軸マイナス方向を向いているため、Ｚ軸マイナス方向に光を出射する。光の出射方向、つまり第一光源１２１及び第二光源１２２の各々の光軸は、Ｚ軸方向と略平行である。
【００２４】
Ｘ軸プラス方向側で配列されている複数の第二光源１２２の光の出射方向側には、第一導光板３が配置されている。また、Ｘ軸マイナス方向側で配列されている複数の第二光源１２２の光の出射方向側には、第二導光板４が配置されている。Ｘ軸プラス方向側の第二光源１２２は、第一導光板３の入射面３１ａに光を照射する。また、Ｘ軸マイナス方向側の第二光源１２２は、第二導光板４の入射面３１ａに光を照射する。第二光源１２２は、光の出射方向がＺ軸マイナス方向に向くように基板１２０に配列されている。具体的には、Ｘ軸プラス方向側の第二光源１２２は、光軸が第一導光板３の入射面３１ａに略直交して、入射面３１ａと対向するように配置されている。また、Ｘ軸マイナス方向側の第二光源１２２は、光軸が第二導光板４の入射面３１ａに略直交して、入射面３１ａと対向するように配置されている。つまり、第二光源１２２は、第一導光板３及び第二導光板４の各々の入射面３１ａと略垂直な関係にある。
【００２５】
また、第二光源１２２と第一導光板３及び第二導光板４との間には、第二光源１２２と第一導光板３及び第二導光板４とが接触しないように隙間が空けられている。
【００２６】
第一光源１２１及び第二光源１２２は、いわゆるＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。例えば、青色ＬＥＤチップと黄色蛍光体含有樹脂との組み合わせにより白色光を放出する表面実装型ＬＥＤ素子が、第一光源１２１及び第二光源１２２として採用される。
【００２７】
第一光源１２１及び第二光源１２２は、制御部１３により制御されて点灯及び消灯を行う。また、第一光源１２１及び第二光源１２２は、制御部１３により制御されて調光及び調色が行われる。
【００２８】
なお、第一光源１２１及び第二光源１２２は、このような構成に限定されず、基板１２０上にＬＥＤチップが直接的に実装されたＣＯＢ（Ｃｈｉｐ  Ｏｎ  Ｂｏａｒｄ）型のモジュールが用いられてもよい。また、第一光源１２１及び第二光源１２２が有する発光素子は、ＬＥＤに限定されず、例えば、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【００２９】
なお、もう一方側の発光モジュール２１も同様の構成であるためその説明を省略する。
【００３０】
［レンズカバー］
図２及び図３に示すように、一対のレンズカバー２３は、第一開口部２０ａを挟むように、第一開口部２０ａに対してＹ軸プラス方向側及びＹ軸マイナス方向側にそれぞれ配置されている。レンズカバー２３は、基板１２０と第一遮光部材５及び第二遮光部材６とによって固定されている。レンズカバー２３は、Ｙ軸方向に長尺な矩形板状をなし、透光性を有する例えば、アクリル、ポリカーボネート等の透明な樹脂材料で形成されている。
【００３１】
レンズカバー２３は、複数の第一光源１２１が出射した光を配光制御するレンズであり、複数のレンズを有する。レンズカバー２３は、複数の第一光源１２１を覆うように、発光モジュール２１に配置されている。具体的には、レンズカバー２３及び複数の第一光源１２１を平面視した場合に、レンズカバー２３に形成されている個々のレンズは、各々の第一光源１２１に一対一で対応している。レンズカバー２３の各々のレンズは、これらに対応する各々の第一光源１２１から出射した光が透過する際に、透過する光の配光角を制御する。
【００３２】
なお、もう一方側のレンズカバー２３も同様の構成であるためその説明を省略する。
【００３３】
［収容体］
収容体２５は、第一収容部２５１と、第二収容部２５２とを備えている。第一収容部２５１は、一対の発光モジュール２１と、一対のレンズカバー２３とを収容する筐体である。具体的には、第一収容部２５１は、Ｙ軸方向に長尺で扁平な筐体であり、Ｚ軸方向のマイナス方向側が全体として開放されている。第一収容部２５１は、第二収容部２５２におけるＺ軸マイナス方向側に配置されている。第一収容部２５１は、平面視矩形状の板状部２５３と、板状部２５３におけるＸ軸方向の両端部から立設する一対の壁部２５４とを備えている。
【００３４】
板状部２５３には、一対の発光モジュール２１が複数の締結部材１９によって固定されている。また、板状部２５３には、一対のレンズカバー２３が第一遮光部材５、第二遮光部材６及び一対の発光モジュール２１を介して固定されている。また、板状部２５３の中央部には、第一開口部２０ａの一部をなす開口２５３ａが形成されている。
【００３５】
壁部２５４の先端部には、板状部２５３と略平行な桁部２５５が形成されている。この桁部２５５には、第一導光板３及び第二導光板４を保持するための複数の貫通孔２５６（図４参照）が、Ｙ軸方向に所定の間隔をあけて形成されている。
【００３６】
第二収容部２５２は、制御部１３と、受信部１４と、電源部１５とを収容する筐体である。具体的には、第二収容部２５２は、Ｙ軸方向に長尺な略直方体状の筐体であり、Ｚ軸方向のマイナス方向側が全体として開放されている。この第二収容部２５２の開放された部分は、第一収容部２５１によって覆われている。
【００３７】
第二収容部２５２は、平面視矩形状の板状部２５７と、板状部２５３の全周から立設する壁部２５８とを備えている。
【００３８】
板状部２５７には、回路基板２６０と、回路基板２６０が取り付けられた取付板２６３とが、図示しない締結部材によって固定されている。回路基板２６０には、制御部１３、受信部１４及び電源部１５をなす複数の回路部品が実装されている。また、板状部２５７及び取付板２６３の中央部には、第一開口部２０ａの一部をなす開口２６２ａが形成されている。この開口２６２ａを避けるように回路基板２６０が配置されている。
【００３９】
壁部２５８の先端部は、板状部２５７と略平行な桁部２５９が形成されている。この桁部２５９には、第一収容部２５１が図示しない締結部材によって固定される。
【００４０】
［制御部］
制御部１３は、第一光源１２１、第二光源１２２及び受信部１４と電気的に接続されている。制御部１３は、例えば点灯回路部を制御することで、第一光源１２１及び第二光源１２２から出射させる光を調光制御及び調色制御することができる。制御部１３は、リモコンから送信される信号に基づいて第一光源１２１及び第二光源１２２を制御する。例えば、制御部１３は、Ｙ軸プラス方向側の複数の第一光源１２１だけの点灯、Ｙ軸マイナス方向側の複数の第一光源１２１だけの点灯、全ての第一光源１２１だけの点灯、Ｘ軸プラス方向側で配列された複数の第二光源１２２だけの点灯、Ｘ軸マイナス方向側で配列された複数の第二光源１２２だけの点灯、又は、これらの組み合わせによる点灯を制御することができる。
【００４１】
制御部１３は、たとえば、ＣＰＵ（Ｃｅｎｔｒａｌ  Ｐｒｏｃｅｓｓｉｎｇ  Ｕｎｉｔ）を備えたマイクロコンピュータを用いて構成することができる。制御部１３は、例えば記憶部に記憶させた適宜のプログラムを実行させることで、所定の照明制御動作を行うことができる。記憶部は、たとえば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）などの不揮発性半導体メモリを用いて構成することができる。
【００４２】
［受信部］
図２に示すように、受信部１４は、例えばリモコンから送信される信号を受信できるように構成されている。受信部１４は、赤外線受光素子、赤外線受光素子の出力を増幅し所定の信号処理を行う信号処理部等で構成される。リモコンからの信号には、第一光源１２１及び第二光源１２２を調光制御する調光指令、第一光源１２１及び第二光源１２２を調色制御する調色指令などの情報が含まれている。受信部１４は、赤外線受光素子で受信した信号から復調した情報を、信号処理部が制御部１３に出力する。
【００４３】
［電源部］
図２及び図３に示すように、電源部１５は、外部からの電力によって駆動する駆動回路、発光モジュール２１を発光させるための電力を供給するケーブル等を有する。電源部１５は、ケーブルを介して発光モジュール２１に電力を供給する。
【００４４】
［導光板］
図４は、実施の形態に係る第一導光板３及びその周辺の部材を拡大して示す部分断面図である。なお、図４は、図３とは同方向から見た断面図ではあるが、異なる切断面を見た断面図である。
【００４５】
図３及び図４に示すように、第一導光板３は、複数の第一光源１２１のＸ軸プラス方向側に配置されている。第一導光板３は、Ｘ軸マイナス方向側の一端部が外装カバー１２内で固定され、Ｘ−Ｙ平面と略平行となるように支持されている。第一導光板３は、Ｙ軸方向に長尺な板材であり、第一光源１２１のＸ軸プラス方向側に配列された複数の第二光源１２２からの光を導光する光学部材である。第一導光板３は、アクリル、ポリカーボネート等の樹脂又はガラス等の透光性の部材であるが、透光性があればその他どのような材料で形成されてもよい。なお、第一導光板３の形状は、矩形状に限らず、円盤状でもよく、多角形状など、他の形状でもよい。第一導光板３は、導光板の一例である。
【００４６】
第一導光板３は、湾曲部３１と、平板部３５と、複数の係合部３９とを有する。
【００４７】
湾曲部３１は、第一導光板３におけるＸ軸マイナス方向の一端部側の部分であり、レンズカバー２３に沿ってＹ軸方向に長尺である。湾曲部３１は、Ｚ−Ｘ平面で切断した場合の断面視で、第二光源１２２側から略円弧状に湾曲している。湾曲部３１は、第二光源１２２が出射した光を平板部３５に向けて導光する。
【００４８】
湾曲部３１は、入射面３１ａと、外径面３１ｂと、内径面３１ｃと、一対の突出部３２とを有する。
【００４９】
入射面３１ａは、複数の第二光源１２２からの光が入射する面である。入射面３１ａは、複数の第二光源１２２からの光が入射するように、複数の第二光源１２２の光軸と略垂直に配置されている。つまり、入射面３１ａは、複数の第二光源１２２が配列されたＹ軸方向に沿って形成されている。入射面３１ａは、第一導光板３の側面の一部である。
【００５０】
外径面３１ｂは、相対する第一遮光部材５側の面であり、主に平板部３５へ光を導光させるように光を反射する湾曲した面である。外径面３１ｂは、Ｘ軸プラス方向側の第一遮光部材５に沿ってＹ軸方向に長尺である。
【００５１】
内径面３１ｃは、外径面３１ｂと反対側の面であり、主に平板部３５へ光を導光させるように光を反射する湾曲した面である。内径面３１ｃは、Ｙ軸方向に長尺である。
【００５２】
突出部３２は、Ｙ軸方向に延設する入射面３１ａの両端縁に、Ｙ軸方向に沿って形成されている。一対の突出部３２は、複数の第二光源１２２をＸ軸方向で挟むように配置されている。このため、複数の第二光源１２２から出射された光は、一対の突出部３２によって入射面３１ａに向けて集光される。
【００５３】
係合部３９は、湾曲部３１の第一光源１２１側の端部から突出している。この係合部３９は、第一遮光部材５及び発光モジュール２１とともに、締結部材１９によって収容体２５に共締めされる。つまり、第一導光板３の係合部３９が、装置本体２に支持される部位である。
【００５４】
平板部３５は、湾曲部３１を通過した光を導光して出射することで、当該平板部３５の周囲を照明する板状部である。平板部３５は、Ｘ−Ｙ平面と略平行に保持されている。平板部３５は、装置本体２の長尺な縁辺から外方に向けて延設している。また、平板部３５は、Ｙ軸方向に長尺な矩形板状の平板である。
【００５５】
平板部３５は、プリズム面３５ａと、出射面３５ｂと、貫通孔３５ｃとを有する。
【００５６】
プリズム面３５ａは、平板部３５のＺ軸プラス方向側の面である。プリズム面３５ａは、Ｘ−Ｙ平面と略平行である。プリズム面３５ａは、平板部３５が導光する光を出射面３５ｂ側に向けて反射するように形成された面である。具体的には、プリズム面３５ａには、Ｚ軸マイナス方向に凹むプリズムが複数形成されている。プリズムは、例えば、円錐状、角錐状、円錐台状、角錐台状、半球状等に凹んだ形状であってもよい。なお、プリズム面３５ａは、光を反射するだけでなく、例えば天井等を照明する光を出射してもよい。また、プリズム面３５ａは、切削や、印刷などによって形成することが可能である。
【００５７】
出射面３５ｂは、平板部３５のＺ軸マイナス方向側の面であり、プリズム面３５ａと反対側の面である。出射面３５ｂは、Ｘ−Ｙ平面と略平行な平面である。出射面３５ｂは、例えば床、壁等を照明する光を出射する。
【００５８】
貫通孔３５ｃは、出射面３５ｂからプリズム面３５ａにかけて貫通している。複数の貫通孔３５ｃは、平板部３５における湾曲部３１側の端部に形成され、Ｙ軸方向に沿って所定の間隔をあけて配列されている。第一導光板３は、ネジ８２が複数の貫通孔３５ｃを介して支持部材８の雌ネジ部８４（後述）に締結されることで、収容体２５に支持される。
【００５９】
第二導光板４は、複数の第一光源１２１のＸ軸マイナス方向側に配置されている。第二導光板４は、Ｘ軸マイナス方向側の一端部が外装カバー１２内で固定され、Ｘ−Ｙ平面と略平行となるように支持されている。第二導光板４は、Ｙ軸方向に長尺な板状であり、第一光源１２１のＸ軸マイナス方向側に配列された第二光源１２２からの光を導光する光学部材である。第二導光板４は、導光板の一例である。
【００６０】
なお、第二導光板４については、装置本体２の中心を通過するＹ−Ｚ平面に対して第一導光板３と対称な構成であるため、第一導光板３と同等の部分については同じ符号を用いて他の説明を省略する。
【００６１】
［支持部材］
図５は、実施の形態に係る支持部材８と、第一導光板３との概略構成を示す分解斜視図である。なお、以降の説明においては、第一導光板３側の支持部材８を例示して説明するが、第二導光板４側の支持部材８についても同様であるので、その説明は省略する。
【００６２】
図４及び図５に示すように、支持部材８は、Ｙ軸方向に沿って長尺な板材であり、第一導光板３の平板部３５を本体モジュール２０に支持する部材である。つまり、支持部材８は、第一導光板３の係合部３９とは異なる箇所で、第一導光板３を支持している。
【００６３】
支持部材８は、平板部３５の出射面３５ｂ側に配置される。支持部材８には、複数の雌ネジ部８４が所定の間隔をあけて配列されている。具体的には、雌ネジ部８４は、支持部材８からＺ軸プラス方向側に向けて筒状に突出しており、その内周面に雌ネジが形成されている。複数の雌ネジ部８４は、複数の貫通孔３５ｃと一対一で対応している。同様に、複数の雌ネジ部８４は、第二収容部２５２の貫通孔２５６と一体一で対応している。
【００６４】
図４に示すように、貫通孔３５ｃと貫通孔２５６とを位置合わせしてから、これら貫通孔３５ｃ及び貫通孔２５６内に雌ネジ部８４を挿入した状態で、雌ネジ部８４にネジ８２を締結すると、第二収容部２５２の桁部２５５と、支持部材８とが第一導光板３の平板部３５を挟持する。また、支持部材８は、第一導光板３の平板部３５の下方（Ｚ軸マイナス方向側）から当該平板部３５を支持している。前述したように、支持部材８は、Ｙ軸方向に沿って長尺な板材であるので、第一導光板３の平板部３５を長手方向に沿って連続して支持することとなる。このように、支持部材８が第一導光板３を下方から支持しているので、当該第一導光板３の姿勢が保持されることとなる。具体的には、平板部３５がＸ−Ｙ平面と略平行な姿勢で保持されることとなる。このように本実施の形態では、第一導光板３の姿勢を保持する保持部が支持部材８である場合を例示している。
【００６５】
また、支持部材８におけるＹ軸方向の両端部は、Ｚ軸プラス方向側に向くように傾斜された屈曲部８６となっている。この屈曲部８６は、本体モジュール２０の一部であるサイドカバー（図示省略）に設けられたスリット内に挿入される。屈曲部８６がスリット内に挿入されることで、支持部材８が所定の位置に仮止めされる。この状態であれば、支持部材８が本体モジュール２０から脱落しにくくなる。仮止め後に行われる雌ネジ部８４に対するネジ８２の締結作業の作業性を高めることができる。
【００６６】
［遮光部材］
図３に示すように、第一遮光部材５は、複数の第一光源１２１が出射する光が第一導光板３に入射しないように、第一導光板３の湾曲部３１と複数の第一光源１２１との間に配置されている。第一遮光部材５は、第一導光板３及びレンズカバー２３に沿って、Ｙ軸方向に長尺である。第一遮光部材５は、第一導光板３における湾曲部３１の外径面３１ｂから出射する光を遮光する。また、第一遮光部材５は、光を反射する光反射機能を有する。第一遮光部材５は、例えばポリブチレンテレフタレート等の非透光性の白色樹脂等で形成されている。また、第一遮光部材５は、アクリルやポリカーボネート等の樹脂材料に白色の樹脂を塗装して形成してもよい。なお、第一遮光部材５は、光拡散機能を有していてもよい。
【００６７】
なお、もう一方の第二遮光部材６については、装置本体２の中心を通過するＹ−Ｚ平面に対し第一遮光部材５と対称な構成であるため、第一遮光部材５と同等の部分については同じ符号を用いて他の説明を省略する。
【００６８】
［透光カバー］
図２に示すように、透光カバー７は、装置本体２のＺ軸マイナス方向側に配置されている。透光カバー７は、照明装置１をＺ軸方向から見た場合において複数の第一光源１２１を覆うカバー部材であり、複数の第一光源１２１から出射した光が透過する透光性を有する。透光カバー７は、Ｙ軸方向に長尺な矩形状である。透光カバー７は、例えばアクリルやポリカーボネート等の透光性樹脂又はガラス等の透光性を有する材料で構成されている。透光カバー７は、さらに、光拡散性を有していてもよい。つまり、透光カバー７は、透明カバーではなく、透光性及び光拡散性を有する拡散カバーであってもよい。この場合、透光カバー７は、光拡散材が内部に分散された乳白色の拡散パネルとすることができる。このような拡散カバーは、光拡散材を混合した透光性樹脂材料を所定形状に樹脂成型することによって作製することができる。光拡散材としては、シリカ粒子等の光反射性微粒子を用いることができる。
【００６９】
透光カバー７は、第一透光カバー７０と、第二透光カバー８０とを有する。
【００７０】
第一透光カバー７０は、照明装置１をＺ軸方向から見た場合における外側のカバー部材である。第一透光カバー７０は、Ｙ軸方向に長尺な矩形板状である。第一透光カバー７０は、図示しない複数の係止片を有しており、この複数の係止片が第二透光カバー８０を係止することで、第二透光カバー８０を保持している。
【００７１】
第二透光カバー８０は、第一透光カバー７０と装置本体２との間に配置される。第二透光カバー８０は、カバー枠部８１と、カバー枠部８１の内側から、湾曲部３１に沿うように傾斜した傾斜部８３とを有する。
【００７２】
カバー枠部８１は、Ｙ軸方向に長尺な矩形板状の枠体であり、第一透光カバー７０の複数の係止片と係合している。図３及び図４に示すように、カバー枠部８１は、支持部材８を挟んで、第一導光板３及び第二導光板４の平板部３５に対向している。カバー枠部８１と、支持部材８との間には、Ｙ軸方向に長尺なスペーサ８５が介在している。スペーサ８５は、例えば樹脂などで形成されている。弾性を備えた樹脂によってスペーサ８５が形成されている場合には、第一導光板３及び第二導光板４の振動を吸収することができる。
【００７３】
そして、カバー枠部８１と、第一透光カバー７０との間であって、支持部材８の下方（Ｚ軸マイナス方向側）には、空間が形成されている。この空間を介して、複数の第一光源１２１からの光の一部が第一透光カバー７０を透光して、外方に出射される。これにより、支持部材８及びスペーサ８５が照らされることとなり、透光カバー７外から視認したとしても目立たなくなる。
【００７４】
傾斜部８３は、カバー枠部８１の内縁側に形成され、カバー枠部８１に沿ってＹ軸方向に長尺である。傾斜部８３は、Ｚ−Ｘ平面で切断した断面を見た場合に、第一遮光部材５及び第二遮光部材６に沿うように、円弧状に湾曲している。
【００７５】
［動作］
このような照明装置１では、複数の第一光源１２１から出射した光は、レンズカバー２３のレンズで配光制御されて透光カバー７を透光し、照明装置１のＺ軸方向に進む。また、Ｙ軸プラス方向側及びＹ軸マイナス方向側の複数の第二光源１２２から出射した光は、第一導光板３及び第二導光板４の各々の入射面３１ａに入射して湾曲部３１及び平板部３５を導光する。湾曲部３１では、内径面３１ｃ及び外径面３１ｂで反射されたり、外径面３１ｂから出射しても第一遮光部材５及び第二遮光部材６で反射された光が入射したりする。平板部３５を導光する一部の光は、プリズム面３５ａで反射されて出射面３５ｂに向かい、出射面３５ｂから出射する。こうして、この照明装置１では、透光カバー７、第一導光板３及び第二導光板４の各々から光を出射することで、周囲を照明することができる。
【００７６】
［作用効果］
次に、本実施の形態における照明装置１の作用効果について説明する。
【００７７】
上述したように、本実施の形態に係る照明装置１は、装置本体２と、装置本体２に一端部が支持された状態で、装置本体２の外方に向けて延設する導光板（第一導光板３及び第二導光板４）と、第一導光板３及び第二導光板４における装置本体２に支持された部位とは異なる箇所で第一導光板３及び第二導光板４の姿勢を保持する保持部（支持部材８）とを備えている。
【００７８】
この構成によれば、支持部材８が第一導光板３及び第二導光板４の姿勢を保持しているので、第一導光板３及び第二導光板４の位置ズレを抑制することができる。これにより、照明装置１の外観上の印象及び配光特性を維持することができる。
【００７９】
また、例えば空調装置からの風が第一導光板３及び第二導光板４に当たった場合には、その風によって第一導光板３及び第二導光板４が揺れてしまうおそれがある。これは、周囲の人に物理的な不安を与えるだけでなく、第一導光板３及び第二導光板４から出射された光も揺らしてしまうために、光学的な違和感を周囲の人に与えてしまう。このような現象は、第一導光板３及び第二導光板４が大きくなればなるほど顕著となる。しかしながら、支持部材８が第一導光板３及び第二導光板４の姿勢を保持していれば、風を起因とした揺れも抑制することができる。つまり、第一導光板３及び第二導光板４に対してなんらかの外力が作用したとしても、支持部材８によって第一導光板３及び第二導光板４の位置ズレを抑制することが可能である。
【００８０】
さらに、支持部材８がない場合においては、締結部材１９によって締結された部分に、導光板（第一導光板３及び第二導光板３）の自重が集中してしまうので、当該部分を基点にした導光板の割れや、異音が発生してしまうおそれがある。しかしながら、支持部材８が導光板を保持しているので、導光板の割れ及び異音を抑制することも可能である。
【００８１】
また、支持部材８は、第一導光板３及び第二導光板４の下方から当該第一導光板３及び第二導光板４を支持する板材である。
【００８２】
この構成によれば、支持部材８が、第一導光板３及び第二導光板４の下方から当該第一導光板３及び第二導光板４を支持する板材であるので、第一導光板３及び第二導光板４の自重による位置ズレを簡単な構成で抑制することができる。
【００８３】
また、第一導光板３及び第二導光板４は、一端部側となる湾曲部３１と、湾曲部３１から平板状に延設する平板部３５とを備え、支持部材８は、平板部３５の下方から当該平板部３５を支持している。
【００８４】
ここで、一端部側に湾曲部３１を有した第一導光板３及び第二導光板４であると、当該一端部が装置本体２に保持された場合に、自重による曲げ力が湾曲部３１に作用する。湾曲部３１は湾曲した形状であるために、比較的曲がりやすい。この曲がりやすい湾曲部３１に曲げ力が作用すると、湾曲部３１の曲率が大きくなってしまって、湾曲部３１よりも外方にある平板部３５の位置ズレも大きくなる。
【００８５】
しかしながら、上述したように支持部材８が平板部３５を支持しているので、一端部側に湾曲部３１を有した第一導光板３及び第二導光板４であっても、より安定して第一導光板３及び第二導光板４の姿勢を保持することができる。
【００８６】
また、装置本体２は、長尺状であり、第一導光板３及び第二導光板４は、装置本体２の長尺な縁辺から外方に向けて延設しており、支持部材８は、装置本体２の長手方向に沿って第一導光板３及び第二導光板４を支持している。
【００８７】
この構成によれば、支持部材８が、装置本体２の長手方向に沿って第一導光板３及び第二導光板４を支持しているので、より大きな面積で第一導光板３及び第二導光板４を支持することができる。これにより、第一導光板３及び第二導光板４の姿勢を安定して保持することができる。
【００８８】
また、支持部材８は、装置本体２とともに第一導光板３及び第二導光板４を挟持している。
【００８９】
この構成によれば、第一導光板３及び第二導光板４のそれぞれが支持部材８と装置本体２とによって挟持されているので、第一導光板３及び第二導光板４を強固に保持することができる。したがって、第一導光板３及び第二導光板４の姿勢をより安定して保持することができる。
【００９０】
（その他変形例等）
以上、本発明について、実施の形態に基づいて説明したが、本発明は、上記実施の形態に限定されるものではない。以降の説明において、上記実施の形態と同一の部分においては、同一の符号を付してその説明を省略する場合がある。
【００９１】
例えば、上記実施の形態では、導光板（第一導光板３及び第二導光板４）の姿勢を保持する保持部が支持部材８である場合を例示した。しかしながら、導光板の姿勢を保持できるのであれば、保持部の形態は如何様でもよい。
【００９２】
図６は、変形例に係る保持部の概略構成を示す平面図である。図６に示すように、変形例に係る照明装置１Ａには、第一導光板３及び第二導光板４のそれぞれの平板部３５を上方から支える支柱９０を保持部としている。支柱９０は、第一導光板３及び第二導光板４のそれぞれで一本であってもよいし、複数であってもよい。支柱９０の一端部は、外装カバー１２の上部に連結されており、他端部は、第一導光板３（または第二導光板４）の平板部３５に連結されている。支柱９０は、第一導光板３及び第二導光板４のそれぞれの平板部３５が、Ｘ−Ｙ平面と略平行な姿勢となるように、所定の張力が付与されている。
【００９３】
支柱９０によって第一導光板３及び第二導光板４の姿勢を保持する場合には、支持部材８を用いなくともよい。しかしながら、支柱９０と支持部材８との両者を設けることで、第一導光板３及び第二導光板４に対する保持性を高めることが可能である。
【００９４】
なお、この変形例では、支柱の一端部が外装カバー１２に連結されている場合を例示したが、支柱の一端部が天井に連結されていてもよい。
【００９５】
また、上記実施の形態では、一対の導光板（第一導光板３及び第二導光板４）を備えた照明装置１を例示して説明したが、導光板の設置個数は、１つであっても３つ以上であってもよい。また、導光板は、装置本体を囲むように配置された環状体であってもよい。いずれの場合においても、装置本体に一端部が支持された状態で、装置本体の外方に向けて延設する導光板に対しては、導光板の姿勢を保持する保持部を設ければよい。
【００９６】
また、上記実施の形態では、一端部側に湾曲部３１を有する導光板（第一導光板３及び第二導光板４）を例示したが、湾曲部を有さない導光板、つまり全体として平板状の導光板であっても構わない。
【００９７】
また、上記実施の形態では、支持部材８の雌ネジ部８４にネジ８２を締結することで、装置本体２と支持部材８とが第一導光板３を挟持する場合を例示したが、導光板を挟持する構造はこれ以外でもよい。その他の構造としては、例えば板バネによって装置本体に支持部材を押さえつけることで、導光板を装置本体と支持部材とが挟持する構造が挙げられる。
【００９８】
また、照明装置１は、スピーカを有していてもよい。スピーカは、Ｗｉ−Ｆｉ（登録商標）、ｂｌｕｅｔｏｏｔｈ（登録商標）等の近距離無線通信によって、外部装置から音声信号を受信し、音声信号に基づいた音声を出力してもよい。この場合、スピーカ用のアンテナが本体モジュールに配置されていてもよい。
【００９９】
その他、実施の形態に対して当業者が思いつく各種変形を施して得られる形態や、本発明の趣旨を逸脱しない範囲で実施の形態における構成要素及び機能を任意に組み合わせることで実現される形態も本発明に含まれる。
【符号の説明】
【０１００】
１、１Ａ  照明装置
２  装置本体
３  第一導光板（導光板）
４  第二導光板（導光板）
８  支持部材（保持部）
３１  湾曲部
３５  平板部
９０  支柱（保持部）
【図１】
2019016549.tif 000003
【図２】
2019016549.tif 000004
【図３】
2019016549.tif 000005
【図４】
2019016549.tif 000006
【図５】
2019016549.tif 000007
【図６】
2019016549.tif 000008